(57)【要約】【課題】静止画撮影と動画撮影とを同時におこなう。【解決手段】撮像システム１は、撮像装置２とマウントアダプタ１０とレンズ７とを備える。撮像システム１は、撮像装置２に撮像素子５、マウントアダプタ１０に位相差ＡＦ用素子内蔵撮像素子１３を備える。マウントアダプタ１０は、薄膜ミラー１４を備え、入射光を分割して、撮像素子５と位相差ＡＦ用素子内蔵撮像素子１３のそれぞれで同時の撮影を可能にする。撮像システム１は、マウントアダプタ１０が装着されていない場合に、撮像素子５による動画撮影と静止画撮影をおこない、マウントアダプタ１０の装着を検出して、位相差ＡＦ用素子内蔵撮像素子１３による動画撮影、撮像素子５による静止画撮影をおこなう。【選択図】図１
2012147058.tif 000002
【特許請求の範囲】
【請求項１】
撮像装置と、前記撮像装置と交換レンズとの間のフランジバックを調節するマウントアダプタを備える撮像システムであって、
前記マウントアダプタは、
位相差焦点検出素子を内蔵し、位相差焦点検出信号および第１の撮像信号を出力可能な第１撮像素子と、
前記交換レンズからの入射光を前記撮像装置の入射光と前記第１撮像素子の入射光とに分割する光学装置と、を備え、
前記撮像装置は、
第２の撮像信号を出力可能な第２撮像素子と、
前記第１撮像素子を検出する検出部と、
前記第１撮像素子を検出した場合、前記位相差焦点検出信号による焦点検出により、前記第１の撮像信号と前記第２の撮像信号のうち一方で動画撮影をおこない、他方で静止画撮影をおこなう制御部と、
を備える撮像システム。
【請求項２】
前記検出部は、前記第１撮像素子の検出を、所定の前記マウントアダプタの装着検出によりおこなう請求項１記載の撮像システム。
【請求項３】
前記制御部は、前記第１撮像素子を検出した場合、前記第１の撮像信号で動画撮影をおこない、前記第２の撮像信号で静止画撮影をおこなう請求項２記載の撮像システム。
【請求項４】
前記制御部は、前記第１の撮像信号と前記第２の撮像信号のうち、いずれで動画撮影または静止画撮影をおこなうかを、設定条件にもとづいて選択する請求項２記載の撮像システム。
【請求項５】
前記撮像装置または前記マウントアダプタは、前記第２の撮像信号にもとづくコントラスト方式、または前記位相差焦点検出信号にもとづく位相差方式のいずれかによる焦点検出を選択する操作を受け付ける選択部を備え、
前記制御部は、前記第１の撮像信号と前記第２の撮像信号のうち、いずれで動画撮影または静止画撮影をおこなうかを、前記操作にもとづいて選択する請求項２記載の撮像システム。
【請求項６】
前記撮像装置は、撮影した動画または静止画を表示可能な表示装置を備え、
前記制御部は、前記第１の撮像信号と前記第２の撮像信号のうち、動画撮影をおこなう撮像信号により前記表示装置にライブビュー表示をおこなう請求項１乃至請求項５記載の撮像システム。
【請求項７】
撮像装置と交換レンズとの間のフランジバックを調節するとともに、前記交換レンズからの入射光を分割して、第１の分割光を受光する位相差焦点検出素子を内蔵した第１撮像素子を備えるマウントアダプタから、位相差焦点検出信号と第１の撮像信号とを含む情報を取得する情報取得部と、
第２の分割光を受光して第２の撮像信号を出力可能な第２撮像素子と、
前記第１撮像素子を検出する検出部と、
前記第１撮像素子を検出した場合、前記第１の撮像信号と前記第２の撮像信号のうち一方で動画撮影をおこない、他方で静止画撮影をおこなう制御部と、
を備える撮像装置。
【請求項８】
コンピュータを請求項７記載の撮像装置として機能させるためのプログラム。
【発明の詳細な説明】
【技術分野】
【０００１】
本発明は、撮像システム、撮像装置、およびプログラムに関する。
【背景技術】
【０００２】
近年、デジタル一眼レフカメラは、急速な普及をはたしたが、ボディサイズの一層の小型軽量化の要求に応えることができていない。これは、一眼レフデジタルカメラが撮影用光路とファインダ用光路を切り替えるレフレックスミラーや、被写体像をファインダ（ＯＶＦ：Optical View Finder）に案内するペンタプリズムをカメラボディ内に収めるためにやむを得ないとされる。
【０００３】
そこで、ＯＶＦに代えて電子ビューファインダ（ＥＶＦ：Electronic ViewFinder）を備えることで、レフレックスミラーを排除して小型軽量化を図ったミラーレスと呼ばれるデジタル一眼カメラ（ミラーレスデジタル一眼カメラ）が登場している。
【０００４】
しかしながら、ミラーレスデジタル一眼カメラは、レフレックスミラーと同時に、焦点検出部に入射光を案内するサブミラーを排除したことで、カメラ本体による位相差検出方式の焦点検出がおこなえなくなった。
【０００５】
また、ミラーレスデジタル一眼カメラは、デジタル一眼レフカメラに比較してフランジバックが短縮されたため、デジタル一眼レフカメラに装着可能だった交換レンズをそのままでは使用できない。そこで、従来の交換レンズ資産を有効に活用するため、ミラーレスデジタル一眼カメラは、マウントアダプタを介することで、デジタル一眼レフカメラ用の交換レンズを装着可能としている。
【０００６】
そして、位相差検出方式に対応した交換レンズを装着可能とするために、このマウントアダプタに位相差検出方式の焦点検出部を備える撮像装置の提案がある（たとえば、特許文献１参照）。
【０００７】
さらに、ミラーレスデジタル一眼カメラのカメラ本体においても、より高速な焦点検出をおこなうために、撮像素子に位相差検出素子を配置する提案がある（たとえば、特許文献２参照）。
【先行技術文献】
【特許文献】
【０００８】
【特許文献１】国際公開第２００８／０９９６０５号公報
【特許文献２】特許第３５９２１４７号公報
【発明の概要】
【発明が解決しようとする課題】
【０００９】
ミラーレスデジタル一眼カメラ、デジタル一眼レフカメラを含むデジタルカメラ全般において、静止画撮影だけでなく、動画撮影をおこなう機能を備えるものがある。また、動画撮影機能を備えなくとも、ＥＶＦや背面ＬＣＤ（Liquid Crystal Display）でライブビューを表示する機能を備える。
【００１０】
一般に、静止画像と動画像とでは、動画像に比較して静止画像の画素数が多く設定され、それぞれにおいて使用する画素数が異なり、動画を撮影しながら、同時に静止画を撮影することは困難である。そのため、多くのデジタルカメラでは、動画の撮影中に静止画を撮影できない。また、動画の撮影中に静止画を撮影できる場合でも、静止画の画素数に制約が設けられたり、静止画撮影時に、動画撮影がフリーズしたり、ブラックアウトが発生するなど、使い勝手が十分なものではない。
【００１１】
本発明は、このような点に鑑みてなされたものであり、静止画撮影と動画撮影とを同時におこなうことができる撮像システム、撮像装置、およびプログラムの提供を目的とする。
【課題を解決するための手段】
【００１２】
上記課題を解決するために、撮像システムは、撮像装置と、撮像装置と交換レンズとの間のフランジバックを調節するマウントアダプタを備える。
【００１３】
マウントアダプタは、第１撮像素子と、光学装置とを備える。第１撮像素子は、位相差焦点検出素子を内蔵し、位相差焦点検出信号および第１の撮像信号を出力可能である。光学装置は、交換レンズからの入射光を撮像装置の入射光と第１撮像素子の入射光とに分割する。
【００１４】
撮像装置は、第２撮像素子と、検出部と、制御部とを備える。第２撮像素子は、第２の撮像信号を出力可能である。検出部は、第１撮像素子を検出する。制御部は、第１撮像素子を検出した場合、位相差焦点検出信号による焦点検出により、第１の撮像信号と第２の撮像信号のうち一方で動画撮影をおこない、他方で静止画撮影をおこなう。
【００１５】
また、上記課題を解決するために、撮像装置は、情報取得部と、第２撮像素子と、検出部と、制御部と、を備える。情報取得部は、撮像装置と交換レンズとの間のフランジバックを調節するとともに、交換レンズからの入射光を分割して、第１の分割光を受光する位相差焦点検出素子を内蔵した第１撮像素子を備えるマウントアダプタから、位相差焦点検出信号と第１の撮像信号とを含む情報を取得する。第２撮像素子は、第２の分割光を受光して第２の撮像信号を出力可能である。検出部は、第１撮像素子を検出する。制御部は、第１撮像素子を検出した場合、第１の撮像信号と第２の撮像信号のうち一方で動画撮影をおこない、他方で静止画撮影をおこなう。
【発明の効果】
【００１６】
上記の撮像システム、および撮像装置によれば、静止画撮影と動画撮影とを同時におこなうことができる。
【図面の簡単な説明】
【００１７】
【図１】第１の実施形態の撮像システムの構成例を示す図である。
【図２】第１の実施形態の撮像システムのブロック構成例を示す図である。
【図３】第１の実施形態のカメラ制御部のブロック構成例を示す図である。
【図４】第１の実施形態の焦点調節処理のフローチャートである。
【図５】第１の実施形態の撮像素子選択処理のフローチャートである。
【図６】第２の実施形態の撮像素子選択処理のフローチャートである。
【図７】第３の実施形態の撮像素子選択処理のフローチャートである。
【発明を実施するための形態】
【００１８】
以下、本発明の実施の形態を図面を参照して詳細に説明する。
［第１の実施形態］
まず、第１の実施形態の撮像システムの全体構成について図１を用いて説明する。図１は、第１の実施形態の撮像システムの構成例を示す図である。
【００１９】
撮像システム１は、撮像装置（カメラボディ）２と、マウントアダプタ１０と、レンズ（交換レンズ）７を備える。撮像装置２は、デジタル一眼レフカメラよりフランジバックを短縮して小型軽量化を図ったミラーレスデジタル一眼カメラのカメラボディである。レンズ７は、デジタル一眼レフカメラ用の交換レンズであり、フランジバックが異なるので撮像装置２に直接装着することができない。また、レンズ７は、撮像装置２とインタフェースが異なるために装着できない場合もある。
【００２０】
マウントアダプタ１０は、撮像装置２とレンズ７の間に装着される。マウントアダプタ１０は、ミラーレスデジタル一眼カメラとデジタル一眼レフカメラとで異なるフランジバックを調整する。ミラーレスデジタル一眼カメラのフランジバックは、デジタル一眼レフカメラのフランジバックより短いため、マウントアダプタ１０の装着によりレンズ７に対応したフランジバックに調整される。
【００２１】
撮像装置２は、シャッタ３、背面ＬＣＤ４、撮像素子５、マウント６、その他に図示しない制御装置やバッテリ、レリーズボタン等の各種操作部、各種センサなどを備える。
【００２２】
撮像素子５は、複数の光電変換セル（撮像用光電変換セル）を配列し、光学像を電気信号に変換する。光電変換セルは、撮像範囲に一様に配置される。撮像素子５は、光電変換セルにより、シャッタ３を通過した光を検出して、被写体の撮像をおこなうための撮像信号（静止画像）出力をおこなう。また、撮像素子５は、光電変換セルにより、背面ＬＣＤ４をＥＶＦとして機能させるための撮像信号（動画像）出力をおこなう。なお、撮像素子５は、撮像用光電変換セルにより、コントラスト方式の焦点検出をおこなうことが可能である。
【００２３】
マウント６は、撮像装置２をミラーレスデジタル一眼カメラに対応したレンズに装着するための接合部である。マウント６は、レンズを保持するための接合部形状を有するほか、焦点検出情報（たとえば、測距情報など）や絞り値の情報など各種情報を、撮像装置２とレンズ７間で入出力するための接点を有する。
【００２４】
マウントアダプタ１０は、マウント１１、マウント１２、位相差ＡＦ（Auto Focus）用素子内蔵撮像素子１３、薄膜ミラー（ペリクルミラー）１４、鏡胴１５、その他に図示しない制御装置や、表示部、各種操作部などを備える。なお、マウントアダプタ１０は、撮像装置２側の開口およびレンズ７側の開口に、図示しない光透過性の蓋部（たとえば、保護ガラスやフィルタ等）を設けてもよい。蓋部は、内部への塵や埃の進入防止のほか、位相差ＡＦ用素子内蔵撮像素子１３、薄膜ミラー１４を外力による損傷から保護する。
【００２５】
マウント１１は、マウントアダプタ１０を撮像装置２に装着するための接合部である。マウント１１は、撮像装置２に保持されるための接合部形状を有するほか、撮像信号、焦点検出情報、絞り値の情報など各種情報を、撮像装置２とマウントアダプタ１０で入出力するための接点を有する。マウント１２は、デジタル一眼レフカメラに対応したレンズ７をマウントアダプタ１０に装着するための接合部である。マウント１２は、レンズ７を保持するための接合部形状を有するほか、撮像信号、焦点検出情報、絞り値の情報など各種情報を、撮像装置２とレンズ７間で入出力するための接点を有する。
【００２６】
位相差ＡＦ用素子内蔵撮像素子１３は、複数の光電変換セルを配列し、光学像を電気信号に変換する。光電変換セルは、撮像信号を出力する撮像用光電変換セルと、測距信号を出力する測距信号用光電変換セルとがある。撮像用光電変換セルは、撮像範囲に一様に配置される。測距信号用光電変換セルは、あらかじめ設定される測距ポイントに対応して配置される。
【００２７】
位相差ＡＦ用素子内蔵撮像素子１３は、撮像用光電変換セルにより、薄膜ミラー１４を反射した光を検出して、被写体の撮像のほか、背面ＬＣＤ４をＥＶＦとして機能させるための撮像信号（画像）出力をおこなう。また、位相差ＡＦ用素子内蔵撮像素子１３は、測距信号用光電変換セルにより、被写体の焦点検出をおこない、測距情報などの焦点調節に用いる焦点検出情報を出力する。なお、位相差ＡＦ用素子内蔵撮像素子１３は、撮像用光電変換セルにより、コントラスト方式の焦点検出をおこなうことも可能である。
【００２８】
薄膜ミラー１４は、被写体側（レンズ７側）から入射する光Ｌ１を、撮像素子５に入射する光Ｌ２と、位相差ＡＦ用素子内蔵撮像素子１３に入射する光Ｌ３とに分割する光学装置である。薄膜ミラー１４は、固定式の半透過型の薄膜ミラーであって、たとえば、入射する光Ｌ１の約７０％を撮像素子５に入射する光Ｌ２に、入射する光Ｌ１の約３０％を位相差ＡＦ用素子内蔵撮像素子１３に入射する光Ｌ３に分割する。薄膜ミラー１４が入射光を分割することにより、撮像装置２は、位相差ＡＦ用素子内蔵撮像素子１３による位相差方式の焦点検出と、撮像素子５によるコントラスト方式の焦点検出とを、同一の被写体について選択的におこなうことができる。また、撮像装置２は、位相差ＡＦ用素子内蔵撮像素子１３による撮像信号の出力と、撮像素子５による撮像信号の出力とを、同一の被写体について同時におこなうことができる。
【００２９】
鏡胴１５は、略円筒状であり、内部に位相差ＡＦ用素子内蔵撮像素子１３、薄膜ミラー１４を有する。鏡胴１５の鏡胴長は、撮像装置２とレンズ７の間に装着されたときに、レンズ７のマウント面から撮像素子５までの距離をレンズ７に対応したフランジバックとする長さである。鏡胴１５は、鏡胴内の薄膜ミラー１４の折り返し光路に位相差ＡＦ用素子内蔵撮像素子１３を配置する。
【００３０】
このように、マウントアダプタ１０は、フランジバックを調整することで、デジタル一眼レフカメラに対応するレンズ７をミラーレスデジタル一眼カメラである撮像装置２に装着することを可能としている。
【００３１】
レンズ７は、デジタル一眼レフカメラに対応する交換レンズである。レンズ７は、マウント８を備えるほか、レンズを駆動する駆動機構、絞りを調節する絞り調節機構、機構部を制御するための制御部などを備える。
【００３２】
マウント８は、レンズ７を対応するデジタル一眼レフカメラに装着するための接合部である。マウント８は、デジタル一眼レフカメラに保持されるための接合部形状を有するほか、焦点検出情報や絞り値の情報など各種情報を、レンズ７とデジタル一眼レフカメラで入出力するための接点を有する。また、マウント８は、レンズ７をマウントアダプタ１０に装着するための接合部ともなる。マウント８は、デジタル一眼レフカメラと同様にマウントアダプタ１０とも、焦点検出情報や絞り値の情報など各種情報を入出力可能である。なお、レンズ７とマウントアダプタ１０との情報の入出力は、互いの制御部が直接おこなうようにしてもよいし、撮像装置２の制御部を介しておこなうようにしてもよい。
【００３３】
このように、撮像システム１は、位相差ＡＦ用素子内蔵撮像素子１３による動画撮影と、撮像素子５による静止画撮影とをおこなうことができる。これとは逆に、撮像システム１は、位相差ＡＦ用素子内蔵撮像素子１３による静止画撮影と、撮像素子５による動画撮影をおこなうこともできる。
【００３４】
次に、第１の実施形態の撮像システム１のブロック構成について図２を用いて説明する。図２は、第１の実施形態の撮像システムのブロック構成例を示す図である。
【００３５】
撮像装置２は、カメラ制御部１００、駆動部２１、表示部２２、ＣＢ−ＡＦ検出部（撮像装置焦点検出部）２３、撮像部２４、操作入力部２５、および記憶部２６を備える。
【００３６】
駆動部２１は、撮像装置２が備えるアクチュエータ（ソレノイド、モータ等）を駆動する。たとえば、駆動部２１は、シャッタ３を駆動する。表示部２２は、撮像装置２が備える表示装置に表示をおこなう。たとえば、表示部２２は、背面ＬＣＤ４にＥＶＦ（ライブビュー）としての画像表示をおこなうほか、撮像した画像の再生表示、各種操作のユーザインタフェース表示をおこなう。
【００３７】
撮像部２４は、撮像素子５により被写体を撮像する。ＣＢ−ＡＦ検出部２３は、撮像素子５を用いてコントラスト方式による焦点検出をおこなう。操作入力部２５は、レリーズボタン、その他の操作スイッチなどであって、ＡＦ操作、シャッタ操作、表示切り替えなど撮像システム１の有する機能の選択、実行操作を受け付ける。
【００３８】
記憶部２６は、各種情報を記憶する。記憶部２６は、電源遮断時にも調整情報を保持するために、たとえば、フラッシュメモリ、ＥＥＰＲＯＭ（Electrically Erasable Programmable ROM）などの不揮発性の記憶媒体で構成される。
【００３９】
カメラ制御部１００は、撮像装置２を統括的に制御するとともに、ＣＢ−ＡＦ検出部２３による焦点検出と、マウントアダプタ１０が備えるＭＡ−ＡＦ検出部３２による焦点検出とをおこなうことができる。カメラ制御部１００は、ＣＢ−ＡＦ検出部２３による焦点検出の有効化／無効化の切り替え、ＭＡ−ＡＦ検出部３２による焦点検出の有効化／無効化の切り替えをおこなう。また、カメラ制御部１００は、所定条件にしたがい、ＣＢ−ＡＦ検出部２３による焦点検出とＭＡ−ＡＦ検出部３２による焦点検出の切り替えをおこなう。
【００４０】
カメラ制御部１００は、撮像部２４と撮像部３３とから撮像信号を取得するため、撮像部２４または撮像部３３の一方を動画用の撮像信号とし、他方を静止画用の撮像信号とすることができる。そのため、カメラ制御部１００は、動画撮影（動画撮像）中の静止画撮影（静止画撮像）をおこなう場合に、撮像部２４あるいは撮像部３３で使用する撮像素子数を撮影（撮像）中に切り替える必要がなくなる。
【００４１】
これにより、撮像システム１は、撮像部２４による静止画撮影と、マウントアダプタ１０が備える撮像部３３による動画撮影とを同時におこなうことができる。また、撮像システム１は、撮像部２４による動画撮影と、マウントアダプタ１０が備える撮像部３３による静止画撮影とを同時におこなうことができる。
【００４２】
マウントアダプタ１０は、マウントアダプタ制御部３０と、表示部３１、ＭＡ−ＡＦ検出部３２、撮像部３３、記憶部３４、操作入力部３５、ＡＦ機構部３６を備える。マウントアダプタ制御部３０は、マウントアダプタ１０を統括的に制御するとともに、撮像装置２のカメラ制御部１００との間で、撮像信号を含む各種情報を入出力する。また、マウントアダプタ制御部３０は、レンズ７のレンズ制御部４０との間で各種情報を入出力する。マウントアダプタ制御部３０は、カメラ制御部１００とレンズ制御部４０間で各種情報を相互に伝達する場合の中継機能を有する。
【００４３】
表示部３１は、ＭＡ−ＡＦ検出部３２の焦点検出状態の報知表示をおこなう。たとえば、表示部３１は、ＬＥＤ（Light Emitting Diode：発光ダイオード）であって、ＭＡ−ＡＦ検出部３２の焦点検出状態を、ジャストピント、前ピン、後ピンとして点灯態様（色、点灯周期など）で案内表示する。
【００４４】
ＭＡ−ＡＦ検出部３２（位相差焦点検出部）は、位相差ＡＦ用素子内蔵撮像素子１３を用いて位相差方式による焦点検出をおこなう。操作入力部３５は、ＡＦ操作ボタン、その他の操作スイッチなどであって、ＡＦ操作、表示切り替えなどマウントアダプタ１０の有する機能の選択、実行操作を受け付ける。
【００４５】
記憶部３４は、マウントアダプタ１０を識別する識別情報、位相差ＡＦ用素子内蔵撮像素子１３の識別情報、位相差ＡＦ用素子内蔵撮像素子１３の焦点検出用情報（たとえば、測距ポイントなど）を記憶する。記憶部３４は、電源遮断時にも各種情報を保持するために、たとえば、フラッシュメモリ、ＥＥＰＲＯＭなどの不揮発性の記憶媒体で構成される。
【００４６】
ＡＦ機構部３６は、モータなどのアクチュエータであって、マウントアダプタ制御部３０によって駆動量が制御される。ＡＦ機構部３６は、レンズ７のレンズ駆動部４１と機械的に接続して駆動力を伝達（駆動力伝達部３７）し、レンズ７のレンズを駆動して焦点調節をおこなう。このとき、マウントアダプタ制御部３０は、ＭＡ−ＡＦ検出部３２またはＣＢ−ＡＦ検出部２３が検出した焦点情報にもとづいて駆動量を算出する。
【００４７】
レンズ７は、レンズ制御部４０と、レンズ駆動部４１を備える。レンズ制御部４０は、レンズ７を統括的に制御するとともに、マウントアダプタ１０のマウントアダプタ制御部３０との間で各種情報を入出力する。また、レンズ制御部４０は、レンズ７が図示しない絞り調節機構部、情報表示部などを備える場合に、これらを制御する。また、レンズ７は、レンズ駆動部４１を駆動する駆動部を備えるようにしてもよく、その場合、レンズ制御部４０は、マウントアダプタ制御部３０から駆動量の指示を受けて、駆動部を駆動する。
【００４８】
このようにして、撮像システム１は、位相差ＡＦ用素子内蔵撮像素子１３による動画撮影と、撮像素子５による静止画撮影とをおこなうことができる。また、撮像システム１は、位相差ＡＦ用素子内蔵撮像素子１３による静止画撮影と、撮像素子５による動画撮影をおこなうこともできる。また、撮像システム１は、ＭＡ−ＡＦ検出部３２またはＣＢ−ＡＦ検出部２３が検出した焦点情報にもとづいて、より好適な位相差方式の焦点検出をおこなうことができる。
【００４９】
次に、第１の実施形態のカメラ制御部のハードウェア構成について図３を用いて説明する。図３は、第１の実施形態のカメラ制御部のブロック構成例を示す図である。
【００５０】
カメラ制御部１００は、ＣＰＵ（Central Processing Unit）１０１によって撮像装置２を統括的に制御する。また、カメラ制御部１００は、ＣＰＵ１０１によってマウントアダプタ制御部３０、レンズ制御部４０を介して、撮像システム１を統括的に制御する。ＣＰＵ１０１には、バス１０７を介してＲＡＭ（Random Access Memory）１０２、ＲＯＭ（Read Only Memory）１０３、通信インタフェース１０４、グラフィック処理装置１０５、および入出力インタフェース１０６が接続されている。
【００５１】
ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。ＲＯＭ１０３には、ＯＳやアプリケーションプログラムが格納される。また、ＲＯＭ１０３には、対応情報が格納される。
【００５２】
グラフィック処理装置１０５には、背面ＬＣＤ４が接続される。入出力インタフェース１０６には、各種入出力装置が接続される。各種入出力装置は、入出力インタフェース１０６、バス１０７を介してＣＰＵ１０１と情報の入出力をおこなう。通信インタフェース１０４は、他のコンピュータ（たとえば、マウントアダプタ制御部３０、レンズ制御部４０）との間でデータの送受信をおこなう。
【００５３】
以上のようなハードウェア構成によって、本実施の形態の処理機能を実現することができる。
【００５４】
なお、カメラ制御部１００は、それぞれＦＰＧＡ（Field Programmable Gate Array）やＤＳＰ（Digital Signal Processer）などからなるモジュールを含んで構成することもでき、ＣＰＵ１０１を有しない構成とすることもできる。その場合、カメラ制御部１００は、それぞれ不揮発性メモリ（たとえば、ＥＥＰＲＯＭ、フラッシュメモリ、フラッシュメモリ型メモリカードなど）を備え、モジュールのファームウェアを記憶する。不揮発性メモリは、入出力インタフェース１０６と接続する可搬型記録媒体、あるいは通信インタフェース１０４を介してファームウェアを書き込むことができる。このようにカメラ制御部１００は、不揮発性メモリに記憶されているファームウェアを書き換えることにより、ファームウェアの更新をすることもできる。
【００５５】
なお、マウントアダプタ制御部３０、レンズ制御部４０は、カメラ制御部１００と同様の構成とすることができる。
【００５６】
次に、カメラ制御部１００が実行する焦点調節処理について図４を用いて説明する。図４は、第１の実施形態の焦点調節処理のフローチャートである。カメラ制御部１００は、マウントアダプタ１０を装着することにより、複数備えることとなった焦点検出部について、ＭＡ−ＡＦ検出部３２、またはＣＢ−ＡＦ検出部２３のいずれを用いるかの選択をおこなう。カメラ制御部１００は、動画または静止画の撮影時に焦点調節処理を実行する。
【００５７】
［ステップＳ１１］カメラ制御部１００は、ＭＡ−ＡＦ（マウントアダプタ側自動焦点検出：ＭＡ−ＡＦ検出部３２）を選択可能か否かの判定をおこなう。ＭＡ−ＡＦを選択可能か否かの判定は、マウントアダプタ１０の装着によって検出することができる。このとき、カメラ制御部１００は、マウントアダプタ制御部３０からマウントアダプタ１０の識別情報を取得して、位相差ＡＦ用素子内蔵撮像素子１３を備えるマウントアダプタであるか否かを判定することができる。あるいは、カメラ制御部１００は、マウントアダプタ制御部３０からＡＦセンサ情報（ＡＦセンサの有無、ＡＦエリア等）を取得して、ＭＡ−ＡＦを選択可能か否かの判定をおこなうようにしてもよい。カメラ制御部１００は、ＭＡ−ＡＦを選択可能と判定した場合、ステップＳ１２にすすみ、ＭＡ−ＡＦを選択できないと判定した場合、ステップＳ１４にすすむ。なお、カメラ制御部１００は、初期設定でＭＡ−ＡＦの選択を禁止し、ＡＦセンサを備えるマウントアダプタの装着検出により、ＭＡ−ＡＦを選択可能としてもよい。
【００５８】
［ステップＳ１２］カメラ制御部１００は、撮影条件または焦点検出条件に応じて、ＭＡ−ＡＦの選択条件を満たすか否かを判定する。カメラ制御部１００は、ＭＡ−ＡＦの選択条件を満たす場合にステップＳ１３にすすみ、選択条件を満たさない場合にステップＳ１４にすすむ。撮影条件、または焦点検出条件は、あらかじめ記憶部２６に記憶しておくことができる。撮影条件または焦点検出条件は、たとえば、被写体の明るさ、コントラスト、選択された測距ポイントなどとすることができる。
【００５９】
なお、カメラ制御部１００は、ステップＳ１１でＭＡ−ＡＦを選択可能と判断した場合、無条件にＭＡ−ＡＦを選択するようにしてもよい。
【００６０】
［ステップＳ１３］カメラ制御部１００は、ＭＡ−ＡＦでの焦点検出を選択する。
【００６１】
［ステップＳ１４］カメラ制御部１００は、ＣＢ−ＡＦ（カメラボディ側自動焦点検出：ＣＢ−ＡＦ検出部２３）での焦点検出を選択する。
【００６２】
［ステップＳ１５］カメラ制御部１００は、選択した焦点検出部を用いて焦点検出をおこない（焦点調節動作処理の実行）、焦点調節処理を終了する。
【００６３】
これにより、撮像システム１は、ＭＡ−ＡＦとＣＢ−ＡＦの２つの焦点検出部のうち、より好適な焦点検出部により焦点検出をおこなうことができる。
【００６４】
次に、カメラ制御部１００が実行する撮像素子選択処理について図５を用いて説明する。図５は、第１の実施形態の撮像素子選択処理のフローチャートである。カメラ制御部１００は、マウントアダプタ１０を装着することにより、複数備えることとなった撮像素子について、撮像部３３または撮像部２４のいずれを用いるかの選択をおこなう。カメラ制御部１００は、マウントアダプタ１０の装着検出時に撮像素子選択処理を実行する。
【００６５】
［ステップＳ２１］カメラ制御部１００は、ＭＡ−ＩＭＧ（マウントアダプタ側イメージャ：撮像部３３）を選択可能か否かの判定をおこなう。ＭＡ−ＩＭＧを選択可能か否かの判定は、マウントアダプタ１０の装着時に取得する識別情報によっておこなうことができる。このとき、カメラ制御部１００は、マウントアダプタ制御部３０からマウントアダプタ１０の識別情報を取得して、位相差ＡＦ用素子内蔵撮像素子１３を備えるマウントアダプタであるか否かを判定することができる。あるいは、カメラ制御部１００は、マウントアダプタ制御部３０から撮像素子情報（識別情報、撮像素子数等）を取得して、ＭＡ−ＩＭＧを選択可能か否かの判定をおこなうようにしてもよい。カメラ制御部１００は、ＭＡ−ＩＭＧを選択可能と判定した場合、ステップＳ２２にすすみ、ＭＡ−ＩＭＧを選択できないと判定した場合、ステップＳ２３にすすむ。
【００６６】
［ステップＳ２２］カメラ制御部１００は、ＭＡ−ＩＭＧでの動画撮影、ＣＢ−ＩＭＧ（カメラボディ側イメージャ：撮像部２４）での静止画撮影を選択して、撮像素子選択処理を終了する。
【００６７】
［ステップＳ２３］カメラ制御部１００は、ＣＢ−ＩＭＧでの動画撮影、ＣＢ−ＩＭＧでの静止画撮影を選択して、撮像素子選択処理を終了する。
【００６８】
これにより、撮像システム１は、撮像素子を備えるマウントアダプタ１０を装着した場合、マウントアダプタ１０が備える撮像素子により動画撮影をおこないながら、撮像装置２が備える撮像素子５により静止画撮影をおこなうことができる。また、撮像システム１は、位相差ＡＦ用素子内蔵撮像素子１３を備えるマウントアダプタ１０を装着した場合、位相差方式による高速な焦点検出をおこないながら、動画撮影と静止画撮影を同時におこなうことができる。
【００６９】
より具体的には、撮像システム１は、位相差ＡＦ用素子内蔵撮像素子１３を用いてライブビュー撮影をおこないながら、撮影者がレリーズボタンを押すことで、撮像素子５を用いた静止画撮影をおこなうことができる。撮像システム１は、フリーズやブラックアウトのないスムーズなライブビュー表示を可能にする。
【００７０】
また、位相差ＡＦ用素子内蔵撮像素子１３は、動画の記録サイズに適した撮像素子数を備えればよく、静止画撮影のための大きな撮像素子数を必要としないため、撮像素子５より撮像素子数を小さくして省電力化することができる。また、撮像素子５は、位相差ＡＦ用素子を内蔵しなくともよいため、情報量の多い静止画撮影をおこなうことができる。
【００７１】
［第２の実施形態］
次に、第２の実施形態の撮像素子選択処理について図６を用いて説明する。図６は、第２の実施形態の撮像素子選択処理のフローチャートである。カメラ制御部１００は、電源投入時、マウントアダプタ１０の装着検出時、操作者による撮影モード選択時など、所要のタイミングで撮像素子選択処理を実行する。第１の実施形態でマウントアダプタ１０の装着検出時に撮像素子選択処理を実行して、各撮像素子の役割を固定していたところ、第２の実施形態は、撮影条件に応じて各撮像素子の役割を柔軟に変更可能にした点で異なる。第２の実施形態の詳細な説明では、撮像システムの全体構成について、断りがない限り第１の実施形態と同じものであるとして説明を省略する。
【００７２】
［ステップＳ３１］カメラ制御部１００は、ＭＡ−ＩＭＧ（撮像部３３）を選択可能か否かの判定をおこなう。ＭＡ−ＩＭＧを選択可能か否かの判定は、マウントアダプタ１０の装着時に取得する識別情報によっておこなうことができる。このとき、カメラ制御部１００は、マウントアダプタ制御部３０からマウントアダプタ１０の識別情報を取得して、位相差ＡＦ用素子内蔵撮像素子１３を備えるマウントアダプタであるか否かを判定することができる。あるいは、カメラ制御部１００は、マウントアダプタ制御部３０から撮像素子情報（識別情報、撮像素子数等）を取得して、ＭＡ−ＩＭＧを選択可能か否かの判定をおこなうようにしてもよい。カメラ制御部１００は、ＭＡ−ＩＭＧを選択可能と判定した場合、ステップＳ３３にすすみ、ＭＡ−ＩＭＧを選択できないと判定した場合、ステップＳ３２にすすむ。
【００７３】
［ステップＳ３２］カメラ制御部１００は、ＣＢ−ＩＭＧでの動画撮影、ＣＢ−ＩＭＧでの静止画撮影を選択して、撮像素子選択処理を終了する。
【００７４】
［ステップＳ３３］カメラ制御部１００は、ＭＡ−ＩＭＧ情報を取得する。具体的には、カメラ制御部１００は、位相差ＡＦ用素子内蔵撮像素子１３の撮像素子情報（撮像素子数、感度等の撮像特性など）を取得する。カメラ制御部１００は、位相差ＡＦ用素子内蔵撮像素子１３の撮像素子情報を、記憶部３４または記憶部２６から取得する。
【００７５】
［ステップＳ３４］カメラ制御部１００は、ＣＢ−ＩＭＧ情報を取得する。具体的には、カメラ制御部１００は、撮像素子５の撮像素子情報（撮像素子数、感度等の撮像特性など）を取得する。カメラ制御部１００は、撮像素子５の撮像素子情報を、記憶部２６から取得する。
【００７６】
［ステップＳ３５］カメラ制御部１００は、撮影モード（撮影条件）を取得する。カメラ制御部１００は、記憶部２６から撮影モードを取得する。
【００７７】
［ステップＳ３６］カメラ制御部１００は、撮影モードに応じた選択規則を取得する。カメラ制御部１００は、記憶部２６から選択規則を取得する。
【００７８】
選択規則は、相差ＡＦ用素子内蔵撮像素子１３の撮像素子情報、撮像素子５の撮像素子情報、取得した撮影モードを条件にして、動画撮影をおこなう撮像素子としてＭＡ−ＩＭＧまたはＣＢ−ＩＭＧのいずれを選択するかを規定する。たとえば、選択規則は、焦点検出にＭＡ−ＡＦ検出部３２が選択されている場合、特定の撮影モードあるいは撮影条件で、ＭＡ−ＩＭＧを選択すると規定する。また、選択規則は、焦点検出にＭＡ−ＡＦ検出部３２が選択されている場合、別の撮影モードあるいは別の撮影条件で、ＣＢ−ＩＭＧを選択すると規定する。焦点検出にＣＢ−ＡＦ検出部２３が選択されている場合も同様である。
【００７９】
［ステップＳ３７］カメラ制御部１００は、位相差ＡＦ用素子内蔵撮像素子１３の撮像素子情報と、撮像素子５の撮像素子情報とから、取得した撮影モードに応じた選択規則を適用して、動画撮影をおこなう撮像素子および静止画撮影をおこなう撮像素子を選択する。カメラ制御部１００は、動画撮影をおこなう撮像素子としてＭＡ−ＩＭＧの選択操作を受け付けた場合、ステップＳ３８にすすみ、ＭＡ−ＩＭＧの選択操作を受け付けていない場合、ステップＳ３９にすすむ。
【００８０】
［ステップＳ３８］カメラ制御部１００は、ＭＡ−ＩＭＧでの動画撮影、ＣＢ−ＩＭＧでの静止画撮影を選択して、撮像素子選択処理を終了する。
【００８１】
［ステップＳ３９］カメラ制御部１００は、ＣＢ−ＩＭＧでの動画撮影、ＭＡ−ＩＭＧでの静止画撮影を選択して、撮像素子選択処理を終了する。
【００８２】
このように、撮像システム１は、あらかじめ設定した設定条件（撮影条件、選択規則）にもとづいて、動画撮影と静止画撮影について役割を柔軟に変更可能にする。撮像システム１は、たとえば、標準的には、撮像素子数の少ないＭＡ−ＩＭＧで動画撮影をおこない、画素数の多い動画撮影を必要とする場合は、ＣＢ−ＩＭＧを用いて動画撮影をおこなうことができる。
【００８３】
［第３の実施形態］
次に、第３の実施形態の撮像素子選択処理について図７を用いて説明する。図７は、第３の実施形態の撮像素子選択処理のフローチャートである。カメラ制御部１００は、電源投入時、マウントアダプタ１０の装着検出時、操作者による撮影モード選択時など、所要のタイミングで撮像素子選択処理を実行する。第１の実施形態でマウントアダプタ１０の装着検出時に撮像素子選択処理を実行して、各撮像素子の役割を固定していたところ、第３の実施形態は、操作者の操作（要求）に応じて各撮像素子の役割を変更可能にした点で異なる。第３の実施形態の詳細な説明では、撮像システムの全体構成について、断りがない限り第１の実施形態と同じものであるとして説明を省略する。
【００８４】
［ステップＳ４１］カメラ制御部１００は、ＭＡ−ＩＭＧ（撮像部３３）を選択可能か否かの判定をおこなう。ＭＡ−ＩＭＧを選択可能か否かの判定は、マウントアダプタ１０の装着時に取得する識別情報によっておこなうことができる。このとき、カメラ制御部１００は、マウントアダプタ制御部３０からマウントアダプタ１０の識別情報を取得して、位相差ＡＦ用素子内蔵撮像素子１３を備えるマウントアダプタであるか否かを判定することができる。あるいは、カメラ制御部１００は、マウントアダプタ制御部３０から撮像素子情報（識別情報、撮像素子数等）を取得して、ＭＡ−ＩＭＧを選択可能か否かの判定をおこなうようにしてもよい。カメラ制御部１００は、ＭＡ−ＩＭＧを選択可能と判定した場合、ステップＳ４３にすすみ、ＭＡ−ＩＭＧを選択できないと判定した場合、ステップＳ４２にすすむ。
【００８５】
［ステップＳ４２］カメラ制御部１００は、ＣＢ−ＩＭＧでの動画撮影、ＣＢ−ＩＭＧでの静止画撮影を選択して、撮像素子選択処理を終了する。
【００８６】
［ステップＳ４３］カメラ制御部１００は、ＭＡ−ＩＭＧあるいはＣＢ−ＩＭＧのいずれによる動画撮影をおこなうかのＩＭＧ選択操作を受け付ける。なお、利用者は、操作入力部２５、または操作入力部３５により、ＩＭＧ選択操作をおこなうことができる。
【００８７】
［ステップＳ４４］カメラ制御部１００は、ＭＡ−ＩＭＧの選択操作を受け付けた場合、ステップＳ４５にすすみ、ＭＡ−ＩＭＧの選択操作を受け付けていない場合、ステップＳ４６にすすむ。
【００８８】
［ステップＳ４５］カメラ制御部１００は、ＭＡ−ＩＭＧでの動画撮影、ＣＢ−ＩＭＧでの静止画撮影を選択して、撮像素子選択処理を終了する。
【００８９】
［ステップＳ４６］カメラ制御部１００は、ＣＢ−ＩＭＧでの動画撮影、ＭＡ−ＩＭＧでの静止画撮影を選択して、撮像素子選択処理を終了する。
【００９０】
このように、撮像システム１は、操作者の操作にもとづいて、動画撮影と静止画撮影について役割を変更可能にする。撮像システム１は、利用者の要求に応じた動画撮影と静止画撮影とをおこなうことを可能にする。そのため、撮像システム１は、位相差ＡＦ用素子内蔵撮像素子１３と撮像素子５とで、それぞれの撮像素子数、感度等の撮像特性などを違えて、異なる性格付けをおこなうことで使用者のニーズに幅広く応えることができる。
【００９１】
なお、カメラ制御部１００は、ＭＡ−ＩＭＧあるいはＣＢ−ＩＭＧのいずれによる動画撮影をおこなうかのＩＭＧ選択操作を受け付ける実施形態を説明したが、静止画撮影をおこなうＩＭＧ選択操作を受け付けるようにしてもよい。
【００９２】
なお、上記の処理機能は、コンピュータによって実現することができる。その場合、各装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。
【００９３】
プログラムを流通させる場合には、たとえば、そのプログラムが記録されたＤＶＤ（Digital Versatile Disc）、ＣＤ−ＲＯＭ（Compact Disc Read Only Memory）などの可搬型記録媒体が販売される。また、プログラムをサーバコンピュータの記憶装置に格納しておき、ネットワークを介して、サーバコンピュータから他のコンピュータにそのプログラムを転送することもできる。
【００９４】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムにしたがった処理を実行する。
【００９５】
なお、上述の実施の形態は、実施の形態の要旨を逸脱しない範囲内において種々の変更を加えることができる。
【００９６】
さらに、上述の実施の形態は、多数の変形、変更が当業者にとって可能であり、説明した正確な構成および応用例に限定されるものではない。
【符号の説明】
【００９７】
１……撮像システム、２……撮像装置、３……シャッタ、４……背面ＬＣＤ、５……撮像素子、６，８，１１，１２……マウント、７……レンズ、１０……マウントアダプタ、１３……位相差ＡＦ用素子内蔵撮像素子、１４……薄膜ミラー、１５……鏡胴、２１……駆動部、２２……表示部、２３……ＣＢ−ＡＦ検出部、２４……撮像部、２５……操作入力部、２６……記憶部、３０……マウントアダプタ制御部、３１……表示部、３２……ＭＡ−ＡＦ検出部、３３……撮像部、３４……記憶部、３５……操作入力部、３６……ＡＦ機構部、３７……駆動力伝達部、４０……レンズ制御部、４１……レンズ駆動部、１００……カメラ制御部、１０１……ＣＰＵ、１０２……ＲＡＭ、１０３……ＲＯＭ、１０４……通信インタフェース、１０５……グラフィック処理装置、１０６……入出力インタフェース、１０７……バス
【図１】
2012147058.tif 000003
【図２】
2012147058.tif 000004
【図３】
2012147058.tif 000005
【図４】
2012147058.tif 000006
【図５】
2012147058.tif 000007
【図６】
2012147058.tif 000008
【図７】
2012147058.tif 000009